【手続補正書】
【提出日】平成17年11月24日(2005.11.24)
【手続補正１】
【補正対象書類名】特許請求の範囲
【補正対象項目名】全文
【補正方法】変更
【補正の内容】
【特許請求の範囲】
【請求項１】
複数の電源を切り換えて使用可能な電源装置であって、前記複数の電源のうち装着されている電源を検出する電源判別手段と、前記複数の電源のうち１つを使用電源として選択する電源選択手段と、前記電源から前記電源選択手段までの電源ラインの残電荷を放電する放電手段と、前記電源から電源選択手段までの電源ラインと電源選択手段以降の電源ラインとのうち少なくとも一方の電源ラインの前記残電荷の放電を行わせて前記電源判別手段に前記装着電源を判別させ、当該電源判別手段の判別した電源を使用電源として前記電源選択手段に選択させる制御手段と、を備えていることを特徴とする電源装置。
【請求項２】
複数の電源を切り換えて使用可能な電源装置であって、前記複数の電源のうち装着されている電源を検出する電源判別手段と、前記複数の電源のうち１つを使用電源として選択する電源選択手段と、前記電源から前記電源選択手段までの電源ラインの残電荷を放電する放電手段と、前記放電手段に前記電源が接続されていない電源ラインの前記残電荷の放電を行わせて前記電源判別手段に前記装着電源を判別させ、当該電源判別手段の判別した電源を使用電源として前記電源選択手段に選択させる制御手段と、を備えていることを特徴とする電源装置。
【請求項３】
複数の電源を切り換えて使用可能な電源装置であって、前記複数の電源のうち装着されている電源を検出する電源判別手段と、前記複数の電源のうち１つを使用電源として選択する電源選択手段と、前記電源から前記電源選択手段までの電源ライン及び前記電源選択手段以降の電源ラインの残電荷を検出する残電荷検出手段と、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることを特徴とする電源装置。
【請求項４】
複数の電源を切り換えて使用可能な電源装置であって、前記複数の電源のうち装着されている電源を検出する電源判別手段と、前記複数の電源のうち１つを使用電源として選択する電源選択手段と、前記電源から前記電源選択手段までの電源ラインの残電荷を検出する残電荷検出手段と、前記電源から前記電源選択手段までの電源ラインの残電荷と前記電源選択手段以降の電源ラインの残電荷との少なくとも一方を放電する放電手段と、前記放電手段に少なくとも一方の電源ラインの前記残電荷の放電を行わせ、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることを特徴とする電源装置。
【請求項５】
前記制御手段は、前記電源判別手段による装着電源の判別を行う前に、前記放電手段による前記残電荷の放電と前記残電荷検出手段による残電荷の検出との少なくとも一方を開始することを特徴とする請求項４に記載の電源装置。
【請求項６】
前記制御手段は、前記放電手段による前記残電荷の放電と前記残電荷検出手段による前記残電荷の検出を並行して実行することを特徴とする請求項４に記載の電源装置。
【請求項７】
前記制御手段は、前記放電手段による前記残電荷の放電と前記残電荷検出手段による前記残電荷の検出を所定の優先順位に基づいて実行することを特徴とする請求項４に記載の電源装置。
【請求項８】
前記制御手段は、前記残電荷検出手段の検出する残電荷が所定の設定値に低下しているが、前記電源判別手段による電源検出可能状態でないときには、前記放電手段による放電処理と前記残電荷検出手段による検出処理との少なくとも一方を停止させ、前記電源選択手段に少なくとも１つの電源を選択させることを特徴とする請求項４に記載の電源装置。
【請求項９】
前記制御手段は、予め設定された所定の設定条件内にエラーであると認識されたときに所定のエラー処理を実行するエラー処理手段を更に備え、前記電源判別手段による電源検出可能状態とならないときには、前記放電手段による放電処理と前記残電荷検出手段による検出処理との少なくとも一方を停止させ、前記エラー処理手段により所定のエラー処理を実行することを特徴とする請求項４に記載の電源装置。
【請求項１０】
複数の電源を切り換えて使用可能な電源装置であって、前記複数の電源のうち装着されている電源を検出する電源判別手段と、前記複数の電源のうちの１つを使用電源として選択する電源選択手段と、前記電源選択手段以降の電源ラインの残電荷を放電する放電手段と、前記電源選択手段以降の電源ラインの前記残電荷の放電を行わせて前記電源判別手段に前記装着電源を判別させ、当該電源判別手段の判別した電源を使用電源として前記電源選択手段に選択させる制御手段と、を備えていることを特徴とする電源装置。
【請求項１１】
複数の電源を切り換えて使用可能な電源装置を備えた電子機器であって、前記電源装置が、前記複数の電源のうち装着されている電源を検出する電源判別手段と、前記複数の電源のうち１つを使用電源として選択する電源選択手段と、前記電源から前記電源選択手段までの電源ラインの残電荷を放電する放電手段と、前記電源から電源選択手段までの電源ラインと電源選択手段以降の電源ラインとの少なくとも一方の電源ラインの前記残電荷の放電を行わせて前記電源判別手段に前記装着電源を判別させ、当該電源判別手段の判別した電源を使用電源として前記電源選択手段に選択させる制御手段と、を備えていることを特徴とする電子機器。
【請求項１２】
複数の電源を切り換えて使用可能な電源装置を備えた電子機器であって、前記電源装置が、前記複数の電源のうち装着されている電源を検出する電源判別手段と、前記複数の電源のうち１つを使用電源として選択する電源選択手段と、前記電源から前記電源選択手段までの電源ラインの残電荷を放電する放電手段と、前記放電手段に前記電源が接続されていない電源ラインの前記残電荷の放電を行わせて前記電源判別手段に前記装着電源を判別させ、当該電源判別手段の判別した電源を使用電源として前記電源選択手段に選択させる制御手段と、を備えていることを特徴とする電源装置。
【請求項１３】
複数の電源を切り換えて使用可能な電源装置を備えた電子機器であって、前記電源装置が、前記複数の電源のうち装着されている電源を検出する電源判別手段と、前記複数の電源のうち１つを使用電源として選択する電源選択手段と、前記電源から前記電源選択手段までの電源ライン及び前記電源選択手段以降の電源ラインの残電荷を検出する残電荷検出手段と、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることを特徴とする電子機器。
【請求項１４】
複数の電源を切り換えて使用可能な電源装置を備えた電子機器であって、前記電源装置が、前記複数の電源のうち装着されている電源を検出する電源判別手段と、前記複数の電源のうち１つを使用電源として選択する電源選択手段と、前記電源から前記電源選択手段までの電源ラインの残電荷を検出する残電荷検出手段と、前記電源から前記電源選択手段までの電源ラインの残電荷と前記電源選択手段以降の電源ラインの残電荷との少なくとも一方を放電する放電手段と、前記放電手段に少なくとも一方の電源ラインの前記残電荷の放電を行わせ、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることを特徴とする電子機器。
【手続補正２】
【補正対象書類名】明細書
【補正対象項目名】００１１
【補正方法】変更
【補正の内容】
【００１１】
具体的には、請求項１記載の発明は、装着可能な複数の電源から当該複数の電源のうち１つを使用電源として選択する電源選択手段までの電源ラインと電源選択手段以降の電源ラインとの少なくとも一方の電源ラインの残電荷の放電を放電手段で行って、電源判別手段が、装着電源を判別して、電源選択手段が、当該電源判別手段の判別した電源を使用電源として選択することにより、装着電源を素早く、かつ、正確に判別し、たとえ、判別を誤っても、電源選択手段が装着されていない電源を選択して、電源が供給されず、動作が行われないのみで、安全性を向上させることのできる電源装置を提供することを目的としている。
請求項２記載の発明は、装着可能な複数の電源から当該複数の電源のうち１つを使用電源として選択する電源選択手段までの電源ラインのうち、電源が接続されていない電源ラインの残電荷の放電を放電手段で行って、電源判別手段が記装着電源を判別して、当該電源判別手段の判別した電源を使用電源として選択することにより、装着電源を素早く、かつ、正確に判別し、たとえ、判別を誤っても、電源選択手段が装着されていない電源を選択して、電源が供給されず、動作が行われないのみで、安全性を向上させることのできる電源装置を提供することを目的としている。
【手続補正３】
【補正対象書類名】明細書
【補正対象項目名】００１２
【補正方法】変更
【補正の内容】
【００１２】
請求項３に記載の発明は、装着可能な複数の電源から当該複数の電源のうち１つを使用電源として選択する電源選択手段までの電源ライン及び電源選択手段以降の電源ラインの残電荷を残電荷検出手段で検出し、電源判別手段が、当該残電荷検出手段の検出した残電荷を参照して装着電源を判別して、電源選択手段が、当該電源判別手段の判別した電源を使用電源として選択することにより、装着電源をより一層安価に、かつ、素早く正確に判別し、たとえ、判別を誤っても、電源選択手段が装着されていない電源を選択して、電源が供給されず、動作が行われないのみで、安全性を向上させることのできる電源装置を提供することを目的としている。
【手続補正４】
【補正対象書類名】明細書
【補正対象項目名】００１３
【補正方法】変更
【補正の内容】
【００１３】
請求項４記載の発明は、装着可能な複数の電源から当該複数の電源のうち１つを使用電源として選択する電源選択手段までの電源ラインのうち、電源から電源選択手段までの電源ラインの残電荷と電源選択手段以降の電源ラインの残電荷との少なくとも一方の放電を放電手段で行って、残電荷検出手段で、電源から電源選択手段までの電源ラインの残電荷を検出し、電源判別手段が、当該残電荷検出手段の検出した残電荷を参照して装着電源を判別して、電源選択手段が、当該電源判別手段の判別した電源を使用電源として選択することにより、装着電源を素早く、かつ、より一層正確に判別し、たとえ、判別を誤っても、電源選択手段が装着されていない電源を選択して、電源が供給されず、動作が行われないのみで、安全性を向上させることのできる電源装置を提供することを目的としている。
【手続補正５】
【補正対象書類名】明細書
【補正対象項目名】００１４
【補正方法】変更
【補正の内容】
【００１４】
請求項５記載の発明は、電源判別手段による装着電源の判別を行う前に、放電手段による残電荷の放電と残電荷検出手段による残電荷の検出との少なくとも一方を開始することにより、接続されている電源の不必要な消費を防止して、省電力化を図るとともに、少なくとも電源判別を行う前に残電荷をなくし、あるいは、所定電圧まで低下させて、正確な電源判別を行う電源装置を提供することを目的としている。
【手続補正６】
【補正対象書類名】明細書
【補正対象項目名】００１５
【補正方法】変更
【補正の内容】
【００１５】
請求項６記載の発明は、放電手段による残電荷の放電と残電荷検出手段による残電荷の検出を、並行して実行することにより、例えば、先に残電荷の検出を行って、残電荷が無くなっていたり、あるいは、所定の電圧に低下していると、放電動作を行わなくて済み、より一層効率的に電源判別を行うことができ、また、放電動作と検出動作を同時に行うと、残電荷の放電と検出を最短時間で行って、より一層速やかに、装着電源を正確に判別することのできる電源装置を提供することを目的としている。
請求項７記載の発明は、放電手段による残電荷の放電と残電荷検出手段による残電荷の検出を、所定の優先順位に基づいて実行することにより、例えば、先に残電荷の検出を行って、残電荷が無くなっていたり、あるいは、所定の電圧に低下していると、放電動作を行わなくて済み、より一層効率的に電源判別を行うことができ、また、放電動作と検出動作を同時に行うと、残電荷の放電と検出を最短時間で行って、より一層速やかに、装着電源を正確に判別することのできる電源装置を提供することを目的としている。
【手続補正７】
【補正対象書類名】明細書
【補正対象項目名】００１６
【補正方法】変更
【補正の内容】
【００１６】
請求項８記載の発明は、残電荷検出手段の検出する残電荷が所定の設定値に低下しているが、電源判別手段による電源検出可能状態でないときには、放電手段による放電処理と残電荷検出手段による検出処理との少なくとも一方を停止させ、電源選択手段に少なくとも１つの電源を選択させることにより、電源装置への通電を確実に行い、動作を可能にして、利用性の良好な電源装置を提供することを目的としている。
【手続補正８】
【補正対象書類名】明細書
【補正対象項目名】００１７
【補正方法】変更
【補正の内容】
【００１７】
請求項９記載の発明は、予め設定された所定の設定条件内に、エラーであると認識されたときには、放電手段による放電処理と残電荷検出手段による検出処理との少なくとも一方を停止させ、所定のエラー処理を実行することにより、危険を回避し、より一層安全な電源装置を提供することを目的としている。
請求項１０に記載の発明は、電源選択手段以降の電源ラインの前記残電荷の放電を行わせて電源判別手段に装着電源を判別させることにより安全性の向上を図ることのできる電源装置を提供することを目的としている。
【手続補正９】
【補正対象書類名】明細書
【補正対象項目名】００１８
【補正方法】変更
【補正の内容】
【００１８】
請求項１１記載の発明は、装着可能な複数の電源から当該複数の電源のうち１つを使用電源として選択する電源選択手段までの電源ラインと電源選択手段以降の電源ラインとのうち、少なくとも一方の電源ラインの残電荷の放電を放電手段で行って、電源判別手段が、装着電源を判別して、電源選択手段が、当該電源判別手段の判別した電源を使用電源として選択する電源装置を設けることにより、装着電源を素早く、かつ、正確に判別し、たとえ、判別を誤っても、電源選択手段が装着されていない電源を選択して、電源が供給されず、動作が行われないのみで、安全性を向上させることのできる電子機器を提供することを目的としている。
請求項１２記載の発明は、装着可能な複数の電源から当該複数の電源のうち１つを使用電源として選択する電源選択手段までの電源ラインのうち、電源が接続されていない電源ラインの残電荷の放電を放電手段で行って、電源判別手段が記装着電源を判別して、電源判別手段の判別した電源を使用電源として選択する電源装置を設けることにより、装着電源を素早く、かつ、正確に判別し、たとえ、判別を誤っても、電源選択手段が装着されていない電源を選択して、電源が供給されず、動作が行われないのみで、安全性を向上させることのできる電子機器を提供することを目的としている。
【手続補正１０】
【補正対象書類名】明細書
【補正対象項目名】００１９
【補正方法】変更
【補正の内容】
【００１９】
請求項１３記載の発明は、装着可能な複数の電源から当該複数の電源のうち１つを使用電源として選択する電源選択手段までの電源ライン及び電源選択手段以降の電源ラインの残電荷を残電荷検出手段で検出し、電源判別手段が、当該残電荷検出手段の検出した残電荷を参照して装着電源を判別して、電源選択手段が、当該電源判別手段の判別した電源を使用電源として選択する電源装置を設けることにより、装着電源をより一層安価に、かつ、素早く正確に判別し、たとえ、判別を誤っても、電源選択手段が装着されていない電源を選択して、電源が供給されず、動作が行われないのみで、安全性を向上させることのできる電子機器を提供することを目的としている。
【手続補正１１】
【補正対象書類名】明細書
【補正対象項目名】００２０
【補正方法】変更
【補正の内容】
【００２０】
請求項１４記載の発明は、装着可能な複数の電源から当該複数の電源のうち１つを使用電源として選択する電源選択手段までの電源ラインのうち、電源から電源選択手段までの電源ラインの残電荷と電源選択手段以降の電源ラインの残電荷との少なくとも一方の放電を放電手段で行って、残電荷検出手段で、電源から電源選択手段までの電源ラインの残電荷を検出し、電源判別手段が、当該残電荷検出手段の検出した残電荷を参照して装着電源を判別して、電源選択手段が、当該電源判別手段の判別した電源を使用電源として選択する電源装置を設けることにより、装着電源を素早く、かつ、より一層正確に判別し、たとえ、判別を誤っても、電源選択手段が装着されていない電源を選択して、電源が供給されず、動作が行われないのみで、安全性を向上させることのできる電子機器を提供することを目的としている。
【手続補正１２】
【補正対象書類名】明細書
【補正対象項目名】００２１
【補正方法】変更
【補正の内容】
【００２１】
請求項１記載の発明の電源装置は、複数の電源を切り換えて使用可能な電源装置であって、前記複数の電源のうち装着されている電源を検出する電源判別手段と、前記複数の電源のうち１つを使用電源として選択する電源選択手段と、前記電源から前記電源選択手段までの電源ラインの残電荷を放電する放電手段と、電源から電源選択手段までの電源ラインと電源選択手段以降の電源ラインとのうち少なくとも一方の電源ラインの前記残電荷の放電を行わせて前記電源判別手段に前記装着電源を判別させ、当該電源判別手段の判別した電源を使用電源として前記電源選択手段に選択させる制御手段と、を備えていることにより、上記目的を達成している。
請求項２記載の発明の電源装置は、複数の電源を切り換えて使用可能な電源装置であって、前記複数の電源のうち装着されている電源を検出する電源判別手段と、前記複数の電源のうち１つを使用電源として選択する電源選択手段と、前記電源から前記電源選択手段までの電源ラインの残電荷を放電する放電手段と、前記放電手段に前記電源が接続されていない電源ラインの前記残電荷の放電を行わせて前記電源判別手段に前記装着電源を判別させ、当該電源判別手段の判別した電源を使用電源として前記電源選択手段に選択させる制御手段と、を備えていることにより、上記目的を達成している。
【手続補正１３】
【補正対象書類名】明細書
【補正対象項目名】００２２
【補正方法】変更
【補正の内容】
【００２２】
請求項３記載の発明の電源装置は、複数の電源を切り換えて使用可能な電源装置であって、前記複数の電源のうち装着されている電源を検出する電源判別手段と、前記複数の電源のうち１つを使用電源として選択する電源選択手段と、前記電源から前記電源選択手段までの電源ライン及び前記電源選択手段以降の電源ラインの残電荷を検出する残電荷検出手段と、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることにより、上記目的を達成している。
【手続補正１４】
【補正対象書類名】明細書
【補正対象項目名】００２３
【補正方法】変更
【補正の内容】
【００２３】
請求項４記載の発明の電源装置は、複数の電源を切り換えて使用可能な電源装置であって、前記複数の電源のうち装着されている電源を検出する電源判別手段と、前記複数の電源のうち１つを使用電源として選択する電源選択手段と、前記電源から前記電源選択手段までの電源ラインの残電荷を検出する残電荷検出手段と、前記電源から前記電源選択手段までの電源ラインの残電荷と前記電源選択手段以降の電源ラインの残電荷との少なくとも一方を放電する放電手段と、前記放電手段に少なくとも一方の電源ラインの前記残電荷の放電を行わせ、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることにより、上記目的を達成している。
【手続補正１５】
【補正対象書類名】明細書
【補正対象項目名】００２４
【補正方法】変更
【補正の内容】
【００２４】
上記の場合において、例えば、請求項５に記載するように、前記制御手段は、前記電源判別手段による装着電源の判別を行う前に、前記放電手段による前記残電荷の放電と前記残電荷検出手段による残電荷の検出との少なくとも一方を開始するものであってもよい。
【手続補正１６】
【補正対象書類名】明細書
【補正対象項目名】００２５
【補正方法】変更
【補正の内容】
【００２５】
また、例えば、請求項６、請求項７に記載するように、前記制御手段は、前記放電手段による前記残電荷の放電と前記残電荷検出手段による前記残電荷の検出を、並行して実行、または、所定の優先順位に基づいて実行するものであってもよい。
【手続補正１７】
【補正対象書類名】明細書
【補正対象項目名】００２６
【補正方法】変更
【補正の内容】
【００２６】
さらに、例えば、請求項８に記載するように、前記制御手段は、前記残電荷検出手段の検出する残電荷が所定の設定値に低下しているが、前記電源判別手段による電源検出可能状態でないときには、前記放電手段による放電処理と前記残電荷検出手段による検出処理との少なくとも一方を停止させ、前記電源選択手段に少なくとも１つの電源を選択させるものであってもよい。
【手続補正１８】
【補正対象書類名】明細書
【補正対象項目名】００２７
【補正方法】変更
【補正の内容】
【００２７】
また、例えば、請求項９に記載するように、前記制御手段は、予め設定された所定の設定条件内にエラーであると認識されたときに所定のエラー処理を実行するエラー処理手段を更に備え、前記電源判別手段による電源検出可能状態とならないときには、前記放電手段による放電処理と前記残電荷検出手段による検出処理との少なくとも一方を停止させ、前記エラー処理手段により所定のエラー処理を実行するものであってもよい。
また、請求項１０に記載するように、電源選択手段以降の電源ラインの前記残電荷の放電を行わせて電源判別手段に装着電源を判別させる構成のものであっても良い。
【手続補正１９】
【補正対象書類名】明細書
【補正対象項目名】００２８
【補正方法】変更
【補正の内容】
【００２８】
請求項１１記載の発明の電子機器は、複数の電源を切り換えて使用可能な電源装置を備えた電子機器であって、前記電源装置が、前記複数の電源のうち装着されている電源を検出する電源判別手段と、前記複数の電源のうち１つを使用電源として選択する電源選択手段と、前記電源から前記電源選択手段までの電源ラインの残電荷を放電する放電手段と、電源から電源選択手段までの電源ラインと電源選択手段以降の電源ラインとのうち少なくとも一方の電源ラインの前記残電荷の放電を行わせて前記電源判別手段に前記装着電源を判別させ、当該電源判別手段の判別した電源を使用電源として前記電源選択手段に選択させる制御手段と、を備えていることにより、上記目的を達成している。
請求項１２記載の発明の電子機器は、複数の電源を切り換えて使用可能な電源装置を備えた電子機器であって、前記電源装置が、前記複数の電源のうち装着されている電源を検出する電源判別手段と、前記複数の電源のうち１つを使用電源として選択する電源選択手段と、前記電源から前記電源選択手段までの電源ラインの残電荷を放電する放電手段と、前記放電手段に前記電源が接続されていない電源ラインの前記残電荷の放電を行わせて前記電源判別手段に前記装着電源を判別させ、当該電源判別手段の判別した電源を使用電源として前記電源選択手段に選択させる制御手段と、を備えていることにより、上記目的を達成している。
【手続補正２０】
【補正対象書類名】明細書
【補正対象項目名】００２９
【補正方法】変更
【補正の内容】
【００２９】
請求項１３記載の発明の電子機器は、複数の電源を切り換えて使用可能な電源装置を備えた電子機器であって、前記電源装置が、前記複数の電源のうち装着されている電源を検出する電源判別手段と、前記複数の電源のうち１つを使用電源として選択する電源選択手段と、前記電源から前記電源選択手段までの電源ライン及び前記電源選択手段以降の電源ラインの残電荷を検出する残電荷検出手段と、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることにより、上記目的を達成している。
【手続補正２１】
【補正対象書類名】明細書
【補正対象項目名】００３０
【補正方法】変更
【補正の内容】
【００３０】
請求項１４記載の発明の電子機器は、複数の電源を切り換えて使用可能な電源装置を備えた電子機器であって、前記電源装置が、前記複数の電源のうち装着されている電源を検出する電源判別手段と、前記複数の電源のうち１つを使用電源として選択する電源選択手段と、前記電源から前記電源選択手段までの電源ラインの残電荷を検出する残電荷検出手段と、前記電源から前記電源選択手段までの電源ラインの残電荷と前記電源選択手段以降の電源ラインの残電荷との少なくとも一方を放電する放電手段と、前記放電手段に少なくとも一方の電源ラインの前記残電荷の放電を行わせ、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることにより、上記目的を達成している。
【手続補正２２】
【補正対象書類名】明細書
【補正対象項目名】００３１
【補正方法】変更
【補正の内容】
【００３１】
請求項１記載の発明の電源装置によれば、装着可能な複数の電源から当該複数の電源のうち１つを使用電源として選択する電源選択手段までの電源ラインと電源選択手段以降の電源ラインとのうち、少なくとも一つの電源ラインの残電荷の放電を放電手段で行って、電源判別手段が、装着電源を判別して、電源選択手段が、当該電源判別手段の判別した電源を使用電源として選択するので、装着電源を素早く、かつ、正確に判別し、たとえ、判別を誤っても、電源選択手段が装着されていない電源を選択して、電源が供給されず、動作が行われないのみで、安全性を向上させることができる。
請求項２に記載の発明の電源装置によれば、装着可能な複数の電源から当該複数の電源のうち１つを使用電源として選択する電源選択手段までの電源ラインのうち、電源が接続されていない電源ラインの残電荷の放電を放電手段で行って、電源判別手段が記装着電源を判別して、当該電源判別手段の判別した電源を使用電源として選択するので、装着電源を素早く、かつ、正確に判別し、たとえ、判別を誤っても、電源選択手段が装着されていない電源を選択して、電源が供給されず、動作が行われないのみで、安全性を向上させることができる。
【手続補正２３】
【補正対象書類名】明細書
【補正対象項目名】００３２
【補正方法】変更
【補正の内容】
【００３２】
請求項３記載の発明の電源装置によれば、装着可能な複数の電源から当該複数の電源のうち１つを使用電源として選択する電源選択手段までの電源ライン及び電源選択手段以降の電源ラインの残電荷を残電荷検出手段で検出し、電源判別手段が、当該残電荷検出手段の検出した残電荷を参照して装着電源を判別して、電源選択手段が、当該電源判別手段の判別した電源を使用電源として選択するので、装着電源をより一層安価に、かつ、素早く正確に判別し、たとえ、判別を誤っても、電源選択手段が装着されていない電源を選択して、電源が供給されず、動作が行われないのみで、安全性を向上させることができる。
【手続補正２４】
【補正対象書類名】明細書
【補正対象項目名】００３３
【補正方法】変更
【補正の内容】
【００３３】
請求項４記載の発明の電源装置によれば、装着可能な複数の電源から当該複数の電源のうち１つを使用電源として選択する電源選択手段までの電源ラインのうち、電源から電源選択手段までの電源ラインの残電荷と電源選択手段以降の電源ラインの残電荷との少なくとも一方の放電を放電手段で行って、残電荷検出手段で、電源から電源選択手段までの電源ラインの残電荷を検出し、電源判別手段が、当該残電荷検出手段の検出した残電荷を参照して装着電源を判別して、電源選択手段が、当該電源判別手段の判別した電源を使用電源として選択するので、装着電源を素早く、かつ、より一層正確に判別することができ、たとえ、判別を誤っても、電源選択手段が装着されていない電源を選択して、電源が供給されず、動作が行われないのみで、安全性を向上させることができる。
【手続補正２５】
【補正対象書類名】明細書
【補正対象項目名】００３４
【補正方法】変更
【補正の内容】
【００３４】
請求項５記載の発明の電源装置によれば、電源判別手段による装着電源の判別を行う前に、放電手段による残電荷の放電と残電荷検出手段による残電荷の検出との少なくとも一方を開始するので、接続されている電源の不必要な消費を防止して、省電力化を図ることができるとともに、少なくとも電源判別を行う前に残電荷をなくし、あるいは、所定電圧まで低下させて、正確な電源判別を行うことができる。
【手続補正２６】
【補正対象書類名】明細書
【補正対象項目名】００３５
【補正方法】変更
【補正の内容】
【００３５】
請求項６および、請求項７記載の発明の電源装置によれば、放電手段による残電荷の放電と残電荷検出手段による残電荷の検出を、並行して実行、または、所定の優先順位に基づいて実行するので、例えば、先に残電荷の検出を行って、残電荷が無くなっていたり、あるいは、所定の電圧に低下していると、放電動作を行わなくて済み、より一層効率的に電源判別を行うことができ、また、放電動作と検出動作を同時に行うと、残電荷の放電と検出を最短時間で行って、より一層速やかに、装着電源を正確に判別することができる。
【手続補正２７】
【補正対象書類名】明細書
【補正対象項目名】００３６
【補正方法】変更
【補正の内容】
【００３６】
請求項８記載の発明の電源装置によれば、残電荷検出手段の検出する残電荷が所定の設定値に低下しているが、電源判別手段による電源検出可能状態でないときには、放電手段による放電処理と残電荷検出手段による検出処理との少なくとも一方を停止させ、電源選択手段に少なくとも１つの電源を選択させるので、電源装置への通電を確実に行うことができ、動作を可能にして、利用性を向上させることができる。
【手続補正２８】
【補正対象書類名】明細書
【補正対象項目名】００３７
【補正方法】変更
【補正の内容】
【００３７】
請求項９記載の発明の電源装置によれば、予め設定された所定の設定条件内に、エラーであると認識されたときには、放電手段による放電処理と残電荷検出手段による検出処理との少なくとも一方を停止させ、所定のエラー処理を実行するので、危険を回避することができ、より一層安全性を向上させることができる。
また、請求項１０に記載の発明によれば、電源選択手段以降の電源ラインの残電荷の放電を行わせて電源判別手段に装着電源を判別させることにして安全性を向上させることもできる。
【手続補正２９】
【補正対象書類名】明細書
【補正対象項目名】００３８
【補正方法】変更
【補正の内容】
【００３８】
請求項１１記載の発明の電子機器によれば、装着可能な複数の電源から当該複数の電源のうち１つを使用電源として選択する電源選択手段までの電源ラインと電源選択手段以降の電源ラインとのうち、少なくとも一方の電源ラインの残電荷の放電を放電手段で行って、電源判別手段が、装着電源を判別して、電源選択手段が、当該電源判別手段の判別した電源を使用電源として選択する電源装置を設けているので、装着電源を素早く、かつ、正確に判別することができ、たとえ、判別を誤っても、電源選択手段が装着されていない電源を選択して、電源が供給されず、動作が行われないのみで、安全性を向上させることができる。
請求項１２記載の発明の電子機器によれば、装着可能な複数の電源から当該複数の電源のうち１つを使用電源として選択する電源選択手段までの電源ラインのうち、電源が接続されていない電源ラインの残電荷の放電を放電手段で行って、電源判別手段が記装着電源を判別して、電源判別手段の判別した電源を使用電源として選択する電源装置を設けているので、装着電源を素早く、かつ、正確に判別することができ、たとえ、判別を誤っても、電源選択手段が装着されていない電源を選択して、電源が供給されず、動作が行われないのみで、安全性を向上させることができる。
【手続補正３０】
【補正対象書類名】明細書
【補正対象項目名】００３９
【補正方法】変更
【補正の内容】
【００３９】
請求項１３記載の発明の電子機器によれば、装着可能な複数の電源から当該複数の電源のうち１つを使用電源として選択する電源選択手段までの電源ライン及び電源選択手段以降の電源ラインの残電荷を残電荷検出手段で検出し、電源判別手段が、当該残電荷検出手段の検出した残電荷を参照して装着電源を判別して、電源選択手段が、当該電源判別手段の判別した電源を使用電源として選択する電源装置を設けているので、装着電源をより一層安価に、かつ、素早く正確に判別することができ、たとえ、判別を誤っても、電源選択手段が装着されていない電源を選択して、電源が供給されず、動作が行われないのみで、安全性を向上させることができる。
【手続補正３１】
【補正対象書類名】明細書
【補正対象項目名】００４０
【補正方法】変更
【補正の内容】
【００４０】
請求項１４記載の発明の電子機器によれば、装着可能な複数の電源から当該複数の電源のうち１つを使用電源として選択する電源選択手段までの電源ラインのうち、電源から電源選択手段までの電源ラインの残電荷と電源選択手段以降の電源ラインの残電荷との少なくとも一方の放電を放電手段で行って、残電荷検出手段で、電源から電源選択手段までの電源ラインの残電荷を検出し、電源判別手段が、当該残電荷検出手段の検出した残電荷を参照して装着電源を判別して、電源選択手段が、当該電源判別手段の判別した電源を使用電源として選択する電源装置を設けているので、装着電源を素早く、かつ、より一層正確に判別することができ、たとえ、判別を誤っても、電源選択手段が装着されていない電源を選択して、電源が供給されず、動作が行われないのみで、安全性を向上させることができる。